(57)【要約】      （修正有）【課題】柔らかいゴミ袋を自立させ、ゴミを簡単、確実に収納出来るようにして、ゴミ袋がはみ出る、取り出し難くなる、袋が破れる等の課題を克服した自立式ゴミ収納スタンドを提供する。【解決手段】平行で一対の縦フレーム１と横フレーム２及び足サポート３に囲まれた四角枠にほぼ同様なもう一つの四角枠がＸ形状に交差した形で内接し、四角枠同士の上部は湾曲可能で柔軟なロープ状のもの４で繋げられ、四角枠同士の交点には回転可能な状態に止め付け軸５が取り付けられ、止め付け軸の位置は交差した四角枠上部の開き度を１．０とした場合、四角枠下部の開き度が１．６〜２．４倍となる位置に配設され、縦フレームと横フレームの間には両端に面ファスナーを取り付けたゴミ袋抑えテープを具備する。【選択図】図１
0003216644.tif 000002
【実用新案登録請求の範囲】
【請求項１】
２つの四角枠と当該四角枠をつなぐ湾曲可能なロープ状のもので構成されたゴミ収納スタンドであって、
平行で一対になっている縦フレームと横フレーム及び足サポートに囲まれた四角枠に、ほぼ同様なもう一つの四角枠がＸ形状に交差した形で内接し、前記四角枠同士の上部は湾曲可能で柔軟なロープ状のもので繋げられ、当該四角枠同士のＸ形状の交点には回転可能な状態で止め付け軸が取り付けられており、該止め付け軸の位置は交差した前記四角枠上部の開き度を１．０とした場合、交差した前記四角枠下部の開き度が１．６〜２．４倍となる位置に配設されていることを特徴とする自立式ゴミ収納スタンド。
【請求項２】
前記四角枠の一方の上部にある横フレーム中央と、もう一方の四角枠の下部にある足サポート中央との間には互いにゴミ袋抑えテープが取り付けられ、該ゴミ袋抑えテープの両端には簡単に止める、及び、取り外しが出来る構造の面ファスナーを具備していることを特徴とする請求項１に記載の自立式ゴミ収納スタンド。
【考案の詳細な説明】
【技術分野】
【０００１】  本考案はスタンドにゴミ用袋を自立させて取付け、廃棄するゴミを確実で、簡単、容易に収納出来る自立式ゴミ収納スタンドに関するものである。
【背景技術】
【０００２】  従来、市販しているゴミ袋（例えば、ゴミ用ビニール袋）等は薄く、柔らかいため、特に戸外でゴミ収納の作業をする時は、風で袋の口元が閉じないように、片手でビニール袋の口元を開き、その手でビニール袋を保ちながら、もう一方の手でチリ取りを挿入するという慎重で注意深い作業が必要であった。【０００３】  それでもこぼしてしまった時は、もう一度箒でチリ取りに取り込み、ビニール袋へ入れ直すという無駄で二度手間となる作業をしていたが、更に、確実に作業しようとすると、一人はゴミ袋の口元を開いておき、もう一人がチリ取りからゴミ袋へ挿入するという二人作業をすることもあった。【０００４】  上記のような薄手の柔らかいゴミ袋を自立させて、ゴミを楽に入れられて、満杯になったら、簡単に取り外して清掃業者へ引き渡せるような構造のもの（スタンド）が無かった。【０００５】  市販のビニール袋だけでなく、大量に発生するゴミの収納、リサイクル品の収納、洗濯する衣服の収納やガレキ、砂利、砂等を収納する場合の布袋、合成繊維袋、紙袋、小型のフレコン等も同様に袋を自立させて確実に収納するため、ゴミ収納用の専用スタンドが必要であった。
【先行技術文献】
【特許文献】
【０００６】
【特許文献１】実用新案登録第３１４３２０２号公報
【特許文献２】実用新案登録第３１８４５７４号公報
【特許文献３】特開２０１４−２２１６８２号公報
【特許文献４】実用新案登録第３０６５２８６号公報
【考案の概要】
【考案が解決しようとする課題】
【０００７】  従来、ゴミ収納容器としては、ゴミ用ポリバケツやしっかりした構造のゴミ収納容器が使われていたが、これらはあくまで収納容器として使用できるものの、実際に清掃業者へ引き渡す時は、市販のゴミ用ビニール袋へ入れ替えて引き渡すという甚だ面倒な作業をしなければならなかった。【０００８】  本考案と同じ構造で、骨組みがＸ形状になっているものもあったが、同様に布や皮革などを張ったゴミ容器の完成形のものが多く、ゴミを捨てる時は同じく市販のゴミ用ビニール袋に入れ替えなければならないという面倒な作業をしていた。【０００９】  また、市販のゴミ用ビニール袋を自立させる、一般的なゴミ用スタンドもあるが、これらにはゴミ袋を取り付けるのに手間がかかったり、専用のビニール袋が必要だったりして時間的な労働負担や経済的負担もあり、また、ゴミ収納作業の終了時には、ビニール袋を自立させるスタンド又は治具をコンパクトに片付けることが出来ず、時として、汚れた収納容器や骨組みが出しっ放しになって、不快な思いになる等の使用上、利便性にも欠けている面があった。【００１０】  一方、ビニール袋を取り付けられるＸ形状のゴミ収納スタンドもあるが、ゴミを満杯に入れようとすると、ゴミ袋の下部が膨らんで、Ｘ形状のスタンドの足部に挟まれ、十分にゴミを入れることが出来なくなる、また、スタンドの脇からゴミ袋がはみ出たり、ゴミ袋を取り出すのが困難になって、時には、ゴミ袋が破けたりする等の不具合があった。
【問題を解決するための手段】
【００１１】  本考案のゴミ収納スタンドでは、四角枠をＸ形状に交差した形になっており、四角枠同士を繋ぐロープ状のものにテンションを与え、引っ張って拡げると、該四角枠の上部は一般的なゴミ袋の標準的規格寸法に相当する四角桝形状になり、該四角桝形状にゴミ袋を填めるように取り付けると、薄くて柔らかいゴミ袋でも袋がぶら下がるように自立し、開口部が大きく開いたような形態が出来上がる。
【００１２】  本考案は、ゴミ収納スタンドのＸ形状に交差した四角枠上部の開き度を１とした場合、四角枠下部の開き度を１．６〜２．４倍にした位置に止め付け軸を設定することによって、結果的にＸ形状に交差している部分の止め付け軸の位置が中心ではなく、中心位置より上部の位置にまで引き上げた構造になり、スタンドの開脚する足部の開き度（スタンス）を広くした。
【００１３】  本考案のゴミ収納スタンドでは、ゴミ袋にゴミを満杯に入れた場合でも、ゴミ袋のはみ出しを防ぐゴミ袋抑えテープを取り付けた。
【考案の効果】
【００１４】  本考案のゴミ収納スタンドは、薄く柔らかいゴミ袋でも簡単に取り付け可能で、ゴミ袋が自立して、開口部を大きく開いた形で保持出来るようになったため、ゴミを楽に、確実に収納出来るようになった。
【００１５】  本考案のゴミ収納スタンドは、ゴミを満杯に入れてもゴミ袋抑えテープが具備されており、ゴミ袋のはみ出しを抑えることが出来るようになった。
【００１６】  本考案のゴミ収納スタンドでは、四角枠下部の開き度（スタンス）が広くなるように設定して（四角枠上部の開き度１とした時、四角枠下部の開き度１．６〜２．４倍に設定）あるため、ゴミが入れ難かったり、ゴミ袋が取り出し難くかったり、ゴミ袋が破れたりなどの従来の問題を根本的に解決し、ゴミ袋の取付け、取り外しが簡単に出来るようになった。
【００１７】  本考案のゴミ収納スタンドでは、ゴミ袋を取り出す時、Ｘ形状に交差した四角枠部分を開脚し、軽量であるゴミ収納スタンドを持ち上げると、ゴミが満杯に入ったビニール袋を容易に取り出すことが出来る。従って、ゴミ袋は次々と入れ替えが可能で、ゴミを入れた市販のビニール袋はそのまま清掃業者に引き渡すことが出来るようになった。
【００１８】  ゴミ収納が不要の時は、本体がＸ形状に交差した構造であるため、簡単にコンパクトにワンタッチで折りたたみ、縦フレーム２本分を横に重ねて両端をゴミ袋抑えテープで巻いた上、長さを長くした面ファスナーで止めることにより、簡単に片づけることが可能になった。その結果、壁と下駄箱等の狭いスペースのスキマにでも片付けることが可能となり、利便的にも美観的にも大いに効果的な考案となった。
【図面の簡単な説明】
【００１９】
【図１】本考案の自立式ゴミ収納スタンドを示す斜視図
【図２】本考案の自立式ゴミ収納スタンドにゴミ袋を取り付けた状態を示す斜視図
【図３】本考案の自立式ゴミ収納スタンドから満杯のゴミが入ったゴミ袋を取り出す状態を示す斜視図
【図４】本考案の自立式ゴミ収納スタンドにおいてゴミの量が少ない時、ゴミ袋抑えテープを付けない状態を示す斜視図
【図５】本考案の自立式ゴミ収納スタンドを用済み後、折りたたみ、片付ける状態を示す側面図
【考案を実施するための形態】
【００２０】  以下、本考案の実施の形態を図に基づいて説明する。
図１は本考案の自立式ゴミ収納スタンドを示す斜視図であり、Ｘ形状に交差した個所開口部を大きく開いて、上側を折り返してセットされているのが解る。図３は自立式ゴミ収納スタンドから満杯のゴミが入ったゴミ袋を取り出す状態を示す斜視図であり、軽量のゴミ収納スタンドを開脚する形で上へ引き上げると、容易に満杯のゴミ袋が取の止め付け軸が通常のものが中心であるのに比べ、略３／８程度上部に位置しており、スタンド下部の開きが大きく設定されているのが解る。図２は自立式ゴミ収納スタンドにゴミ袋を取り付けた状態の斜視図で、ゴミ袋は大部分がＸ形状の内側に入りり出せる状態が解る。次に、図４はゴミの量が少ない時、ゴミ袋抑えテープを付けないで使用する自立式ゴミ収納スタンドの状態の斜視図であり、図５は自立式ゴミ収納スタンドを用済み後、Ｘ形状の四角枠を折りたたみ、たたんだ縦フレームの上下をゴミ袋抑えテープで巻いて、それぞれ面ファスナーで止め付け、片づける状態の側面図である。
【００２１】  上記自立式ゴミ収納スタンドは、縦フレームと横フレーム及び足サポートに囲まれた四角枠に、同様なもう一つの四角枠が内接し、前記二つの四角枠上部の一方から他方の四角枠上部に湾曲可能で柔軟なロープ状のものでテンションを張った状態で取り付けられた構造で、上記四角枠がＸ形状に交差し回転可能な状態で止め付け軸が取り付けられており、該止め付け軸は前記四角枠上部の開き度（スタンス）を１とした時、前記四角枠下部の開き度（スタンス）が１．６〜２．４倍に設定された位置に配設されている構成となっている。更に、四角枠上部にある横フレームと四角枠下部にある足サポートの間にはゴミ袋のはみ出しを抑える目的のゴミ袋抑えテープ配設されている。
【００２２】  この際、当該四角枠下部の開き度（スタンス）が１．６倍に近づくほどスタンドの足幅は狭くなり、スタンド本体の高さは高く、２．４倍に近づくほど開き度（スタンス）即ち、足幅が広くなってスタンド本体の高さは低くなる。上記の通り、良好な開き度（スタンス）の幅は１．６〜２．４倍としているが、ゴミの量をたくさん入れようとすると、ごみ袋がスタンドの足で挟まれ難い開き度（スタンス）を２．０倍以上にしていくのが望ましい。
【００２３】  ゴミ袋の口元寸法は丁度、Ｘ形状に開いたスタンドの縦フレームの上部が四角桝形状になっており、大き過ぎることもなく、小さ過ぎることもなく、ピッタリと収まり、ビニール袋の口元が開放状態のままピンと張って、ゴミを入れやすい状態の形態になっている。
【実施例】
【００２４】  以下、添付図面に従って実施例の詳細を説明する。１は縦フレームとして、アルミ、鉄、銅、ステンレスなどの素材又は合金や合成樹脂等の棒材、平板、押し出し形材、パイプ材等における各種形状の適宜素材を使い、平行で一対の状態を形成しており、同時に同じ素材又は上記組み合わせの素材を用いて２の横フレームと３の足サポートで二つの四角枠を形成し、前記四角枠の内、一方がもう一方の四角枠に内接し、当該四角枠同士の上部で柔らかで湾曲可能なロープ状のもの４でテンションを張る状態で繋がれている。【００２５】  該ロープ状のもの４の材質は一般的にナイロン、ポリエステル、ポリエチレン、ビニロンなどを選択するが、使用目的の強度さえあれば綿や麻などの材質を選んでも構わない。【００２６】  市販のゴミ袋７（例えばビニール袋）を使用する場合、その規格寸法は（４５Ｌの場合、横６５０×縦８００ｍｍ）であるから、ゴミを入れ易い開口部寸法（横３００ｍｍ縦３５０ｍｍ）を決めてから、ここでは（横寸法の３００ｍｍ）を基準の倍率１として設定する。【００２７】  前記の通り、四角枠上部の開き度（スタンス）を基準寸法３００ｍｍの１として、組み立てると、四角枠下部の開き度（スタンス）を例えば１．９倍とすると下部の開き度（スタンス）が略５７０ｍｍになるように設定し、止め付け軸５の位置を決めことになる。この時の止め付け軸５の位置は、規格範囲のほぼ中間となって、縦フレームの中心より略３／８の比率程度、上部の位置となる。【００２８】  自立式ゴミ収納スタンドの使用の際は、ゴミ袋７をスタンドの内側に入れ、当該ゴミ袋のお尻が軽く地面に付く程度に取付け、ゴミ袋７の口元をスタンドの上部に広げて開き、余った部分を外側に折り返してセットする。
この状態でゴミ袋７は自立し、開口部が広く確実に開いているため、ゴミを入れ易く、チリ取りからフリー状態で次々と収納することが出来る。【００２９】  ゴミが満杯になったゴミ袋は、ゴミ袋抑えテープ６で抑えられるため、ゴミ袋がゴミ収納スタンドからはみ出るようなことはない。【００３０】  満杯になったゴミ袋７は、上部折り返し部分を外し、ロープ状のもの４を外して、Ｘ形状に交差したゴミ収納スタンドの四角枠の足部を開脚した上でゴミ収納スタンドを持ち上げると、満杯となったゴミ袋７を容易に取り出すことが出来、取り出したゴミ袋７は上部を簡単に縛って、ゴミ収集業者に引き渡すことが出来る。【００３１】  更にゴミ収納作業が必要な時は、上記の逆手順に従いゴミ収納スタンドを簡単に組み上げ、新しい市販のゴミ袋７をセットすれば、再び、ゴミ収納作業を続けることが出来る。【００３２】  一方、ゴミ収納作業が不要になった時は、ビニール袋抑えテープ６の面ファスナー８を外してゴミ収納スタンドを折りたたみ、ビニール袋抑えテープ６を上下に分けて四角枠の縦フレーム１に巻き付け、面ファスナー８で止めるとコンパクトになって、ワンタッチで折りたたむことが出来、ゴミ袋抑えテープ６で巻いてから面ファスナー８で止めることにより、簡単に片づけることが可能になった。【００３３】  自立式ゴミ収納スタンドの大きさは、一般的な家庭用ゴミ袋４５Ｌ用をセットできるものを標準サイズにすると、ゴミを収納する容量的にも、取り扱う大きさ的にも都合が良く推奨したい。【００３４】  自立式ゴミ収納スタンドは、構造や機能は同じであるため、用途によって大きくも、小さくも変えられ、特に大量にゴミが発生する場合は、大型の自立式ゴミ収納スタンドを使って、大きなゴミ袋をセットし、使用すればよい。【００３５】  また、通常使用する際、ゴミ袋に入れるゴミの量が半分以下の場合は図４に示す通り、ゴミ袋抑えテープ６を取り付けずに使うケースがあっても良い、その際はゴミの量が少ないため、スタンド足部にゴミ袋が挟まったり、ゴミ袋がはみ出したりする等の問題は発生しない。
【産業上の利用可能性】
【００３６】  本考案の自立式ゴミ収納スタンドは、軽量で折りたたみ式であるためモバイル的使用も可能で、アウトドアのイベント（海・山でのバーベキュー大会など）や運動会、文化祭、ミュージックライブなどやにも利用できる。また、大量に発生するゴミの収納やリサイクル品の収納、洗濯する衣服の収納、ガレキ、砂利、砂等を収納する場合の布袋、合成繊維袋、紙袋、小型のフレコン等を使用した収納にも利用が出来る。
【符号の説明】
【００３７】１・・・縦フレーム
２・・・横フレーム
３・・・足サポート
４・・・ロープ状のもの
５・・・止め付け軸
６・・・ゴミ袋抑えテープ
７・・・ゴミ袋
８・・・面ファスナー
【図１】
0003216644.tif 000003
【図２】
0003216644.tif 000004
【図３】
0003216644.tif 000005
【図４】
0003216644.tif 000006
【図５】
0003216644.tif 000007